Podtech/llm-jp-corpus-v4-ja_patent huggingface dataset:
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
コマンドの実行に応じて進行するように構成されたゲームを提供するためのプログラムであって、
コンピュータ上で実行されることに応じて、前記コンピュータに、
プレイヤによる操作に応じてコマンドを実行する手動モードにおけるゲームの進行を制御するステップと、
プレイヤによる所定の操作状態を維持する第１の操作に応じて、自動的に特定されるコマンドの実行を繰り返し行う自動モードを開始するステップと、
前記自動モードにおけるゲームの進行を制御するステップと、を実行させ、
前記所定の操作状態は、画面に表示される所定のオブジェクトに対するタッチ状態であり、
前記第１の操作は、ロングタップ操作であり、
前記手動モードにおけるゲームの進行を制御するステップは、前記所定のオブジェクトに対するタップ操作に応じて、自動的に特定されるコマンドの実行を１回行うことを含む 、
プログラム。
【請求項２】
プレイヤに対する警告を要する状態となった場合に、前記自動モードを終了させるステップをさらに実行させる、
請求項１のプログラム。
【請求項３】
前記自動モードにおけるゲームの進行を制御するステップは、所定の操作に応じて、前記自動モードを固定化することを含む、
請求項１又は２のプログラム。
【請求項４】
前記自動モードの固定化は、前記所定のオブジェクトの周囲に配置されたボタンのタップ操作に応じて解除される、
請求項３のプログラム。
【請求項５】
前記自動モードにおけるゲームの進行を制御するステップは、前記所定のオブジェクトの態様を変化させることを含む、
請求項１ないし４何れかのプログラム。
【請求項６】
前記自動モードにおけるゲームの進行を制御するステップは、プレイヤによって指定されたコマンド特定ルールに従って、実行するコマンドを特定することを含む、
請求項１ないし５何れかのプログラム。
【請求項７】
前記コマンド特定ルールは、スワイプ操作によって指定される、
請求項６のプログラム。
【請求項８】
前記所定のオブジェクトは、指定された前記コマンド特定ルールの種類に基づく態様を有する、
請求項６又は７のプログラム。
【請求項９】
１又は複数のコンピュータプロセッサを備え、コマンドの実行に応じて進行するように構成されたゲームを提供するためのシステムであって、
前記１又は複数のコンピュータプロセッサは、読取可能な命令の実行に応じて、
プレイヤによる操作に応じてコマンドを実行する手動モードにおけるゲームの進行を制御するステップと、
プレイヤによる所定の操作状態を維持する第１の操作に応じて、自動的に特定されるコマンドの実行を繰り返し行う自動モードを開始するステップと、
前記自動モードにおけるゲームの進行を制御するステップと、を実行し、
前記所定の操作状態は、画面に表示される所定のオブジェクトに対するタッチ状態であり、
前記第１の操作は、ロングタップ操作であり、
前記手動モードにおけるゲームの進行を制御するステップは、前記所定のオブジェクトに対するタップ操作に応じて、自動的に特定されるコマンドの実行を１回行うことを含む 、
システム。
【請求項１０】
１又は複数のコンピュータによって実行され、コマンドの実行に応じて進行するように構成されたゲームを提供するための方法であって、
プレイヤによる操作に応じてコマンドを実行する手動モードにおけるゲームの進行を制御するステップと、
プレイヤによる所定の操作状態を維持する第１の操作に応じて、自動的に特定されるコマンドの実行を繰り返し行う自動モードを開始するステップと、
前記自動モードにおけるゲームの進行を制御するステップと、を備え、
前記所定の操作状態は、画面に表示される所定のオブジェクトに対するタッチ状態であり、
前記第１の操作は、ロングタップ操作であり、
前記手動モードにおけるゲームの進行を制御するステップは、前記所定のオブジェクトに対するタップ操作に応じて、自動的に特定されるコマンドの実行を１回行うことを含む 、
方法。
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
始動口への遊技球の入球に基づいて識別情報を変動表示する識別情報表示手段と、
前記識別情報が特定態様で停止表示したことに基づいて特別遊技を実行する特別遊技実行手段と、
開放することで遊技球が入球可能となる可変入球口と、
前記可変入球口に入球した遊技球が所定の特定領域を通過したことに基づいて所定の特典を付与する特典付与手段と、
前記特別遊技中の所定時期に前記可変入球口を開放させ、前記特定領域への遊技球の通過有無に基づいて前記特典を付与するか否かが決定される特典決定遊技を実行する特典決定遊技実行手段と、
所定の動作態様で動作することにより、前記可変入球口に入球した遊技球を前記特定領域に誘導可能な可動部材と、
前記可変入球口に入球した遊技球を検知可能な遊技球検知手段と、
前記遊技球検知手段により検知された遊技球の数を計数する計数手段と、
前記特定領域への遊技球の通過を有効とする有効期間を設定可能な有効期間設定手段と、を備え、
前記特典付与手段は、前記有効期間中に遊技球が前記特定領域を通過したことに基づいて前記特典を付与するものであり、
前記所定の動作態様として、少なくとも第１動作態様と第２動作態様とを有し、
前記可動部材は、前記特典決定遊技での前記計数手段による計数値に基づいて動作可能であって、該計数値が所定の第１計数値となったことに基づいて動作する場合には前記第１動作態様で動作可能であり、該計数値が前記第１計数値よりも大きい第２計数値となったことに基づいて動作する場合には前記第２動作態様で動作可能であり、
前記可動部材が前記第１動作態様で動作する場合には、前記第２動作態様で動作する場合に比べ、前記特定領域への遊技球の通過可能性が低く、
前記有効期間設定手段は、前記特典決定遊技中に前記有効期間を設定可能であって、少なくとも前記計数手段による計数値が前記第１計数値となったことに起因して前記有効期間を設定可能である
ことを特徴とする遊技機。
【手続補正２】
【補正対象書類名】明細書
【補正対象項目名】０００６
【補正方法】変更
【補正の内容】
【０００６】
前述の課題を解決するために、本発明は以下の構成を採用した。
すなわち、本発明の遊技機は、
始動口への遊技球の入球に基づいて識別情報を変動表示する識別情報表示手段と、
前記識別情報が特定態様で停止表示したことに基づいて特別遊技を実行する特別遊技実行手段と、
開放することで遊技球が入球可能となる可変入球口と、
前記可変入球口に入球した遊技球が所定の特定領域を通過したことに基づいて所定の特典を付与する特典付与手段と、
前記特別遊技中の所定時期に前記可変入球口を開放させ、前記特定領域への遊技球の通過有無に基づいて前記特典を付与するか否かが決定される特典決定遊技を実行する特典決定遊技実行手段と、
所定の動作態様で動作することにより、前記可変入球口に入球した遊技球を前記特定領域に誘導可能な可動部材と、
前記可変入球口に入球した遊技球を検知可能な遊技球検知手段と、
前記遊技球検知手段により検知された遊技球の数を計数する計数手段と、
前記特定領域への遊技球の通過を有効とする有効期間を設定可能な有効期間設定手段と、を備え、
前記特典付与手段は、前記有効期間中に遊技球が前記特定領域を通過したことに基づいて前記特典を付与するものであり、
前記所定の動作態様として、少なくとも第１動作態様と第２動作態様とを有し、
前記可動部材は、前記特典決定遊技での前記計数手段による計数値に基づいて動作可能であって、該計数値が所定の第１計数値となったことに基づいて動作する場合には前記第１動作態様で動作可能であり、該計数値が前記第１計数値よりも大きい第２計数値となったことに基づいて動作する場合には前記第２動作態様で動作可能であり、
前記可動部材が前記第１動作態様で動作する場合には、前記第２動作態様で動作する場合に比べ、前記特定領域への遊技球の通過可能性が低く、
前記有効期間設定手段は、前記特典決定遊技中に前記有効期間を設定可能であって、少なくとも前記計数手段による計数値が前記第１計数値となったことに起因して前記有効期間を設定可能である
ことを特徴としている。
【手続補正３】
【補正対象書類名】明細書
【補正対象項目名】０００７
【補正方法】変更
【補正の内容】
【０００７】
また、第１発明の遊技機は、
始動口への遊技球の入球に基づいて識別情報を変動表示する識別情報表示手段と、
前記識別情報が特定態様で停止表示したことに基づいて特別遊技を実行する特別遊技実行手段と、
開放することで遊技球が入球可能となる可変入球口と、
前記可変入球口に入球した遊技球の少なくとも１個が特定領域を通過したことに基づいて所定の特典を付与する特典付与手段と、
前記特別遊技中の所定時期に前記可変入球口を開放させ、前記特定領域への遊技球の通過有無に基づいて前記特典を付与するか否かが決定される特典決定遊技を実行する特典決定遊技実行手段と、
前記可変入球口に入球した遊技球を検知可能な遊技球検知手段と、
前記遊技球検知手段により検知された遊技球の数を計数する計数手段と、
を備え、
前記遊技球検知手段により検知された遊技球は、前記特定領域または前記特定領域以外の領域を通過するもので、
前記特典決定遊技での前記計数手段による計数値によって、前記特定領域への遊技球の通過可能性が変化し得る
ことを特徴としている。
第１発明の遊技機では、特典決定遊技の際に遊技球が可変入球口に入球すると、その遊技球は遊技球検知手段により検知された後、特定領域または特定領域以外の領域（非特定領域）を通過することとなる。そして、遊技球検知手段により検知された遊技球の数、すなわち、可変入球口に入球した遊技球の数が計数手段によって計数され、その計数値によって、特定領域への遊技球の通過可能性が変化し得るものとなっている。これにより、例えば、「可変入球口に入球した遊技球がどのタイミングで特定領域を通過し得るのか」や「遊技球が特定領域を通過したか否か」等、特典決定遊技での遊技球の特定領域通過状況を判別し難くすることが可能となる。
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域を有する遊技盤を備えた遊技機において、
前記遊技領域に設けられる始動口への入球に基づいて判定を行う判定手段と、
前記判定手段による判定の結果に基づいて変動パターンを決定する変動パターン決定手段と、
前記変動パターン決定手段により決定された変動パターンで図柄変動を実行可能な図柄変動手段と、
前記図柄変動にて所定の態様が現れると、遊技者に特典を付与しうる特典付与手段と、
前記遊技盤に設けられる特定可動体が正常状態にないときに前記図柄変動に対応する復元時期が到来すると、該特定可動体に対して復元動作を行わせうる復元実行手段と
を備え、
前記変動パターンとして、第１変動パターン及び第２変動パターンが少なくとも用意されており、
前記第１変動パターンは、前記図柄変動が実行開始されてから特定時間が経過した特定タイミングで前記特定可動体による演出動作を行いうる変動パターンであって、前記第２変動パターンは、前記図柄変動が実行開始されてから終了されるまでの間に前記特定可動体による演出動作が行われない変動パターンであり、
前記図柄変動手段による前記第２変動パターンでの前記図柄変動の実行と、前記図柄変動に対応する復元時期が到来したことに基づく前記特定可動体による復元動作とがそれぞれ並行される状況が現れると、該特定可動体による復元動作は、該第２変動パターンでの前記図柄変動の実行期間内で終了されず当該復元動作の実行中に前記図柄変動に対応する復元時期が新たに到来する場合があるようになっており、該図柄変動に対応する復元時期が新たに到来した場合、前記復元動作を実行している状態にある前記特定可動体については、該新たに到来した復元時期を契機として該復元動作のやり直しを行うことなくこれを継続して実行可能である
ことを特徴とする遊技機。
【手続補正２】
【補正対象書類名】明細書
【補正対象項目名】０００８
【補正方法】変更
【補正の内容】
【０００８】
手段１：遊技球が流下可能な遊技領域を有する遊技盤を備えた遊技機において、
前記遊技領域に設けられる始動口への入球に基づいて判定を行う判定手段と、
前記判定手段による判定の結果に基づいて変動パターンを決定する変動パターン決定手段と、
前記変動パターン決定手段により決定された変動パターンで図柄変動を実行可能な図柄変動手段と、
前記図柄変動にて所定の態様が現れると、遊技者に特典を付与しうる特典付与手段と、
前記遊技盤に設けられる特定可動体が正常状態にないときに前記図柄変動に対応する復元時期が到来すると、該特定可動体に対して復元動作を行わせうる復元実行手段と
を備え、
前記変動パターンとして、第１変動パターン及び第２変動パターンが少なくとも用意されており、
前記第１変動パターンは、前記図柄変動が実行開始されてから特定時間が経過した特定タイミングで前記特定可動体による演出動作を行いうる変動パターンであって、前記第２変動パターンは、前記図柄変動が実行開始されてから終了されるまでの間に前記特定可動体による演出動作が行われない変動パターンであり、
前記図柄変動手段による前記第２変動パターンでの前記図柄変動の実行と、前記図柄変動に対応する復元時期が到来したことに基づく前記特定可動体による復元動作とがそれぞれ並行される状況が現れると、該特定可動体による復元動作は、該第２変動パターンでの前記図柄変動の実行期間内で終了されず当該復元動作の実行中に前記図柄変動に対応する復元時期が新たに到来する場合があるようになっており、該図柄変動に対応する復元時期が新たに到来した場合、前記復元動作を実行している状態にある前記特定可動体については、該新たに到来した復元時期を契機として該復元動作のやり直しを行うことなくこれを継続して実行可能である
ことを特徴とする遊技機。
【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
物品から取得した物品情報に基づくゲームを実行するゲーム装置であって、
第１の物品情報を有する第１の種別の物品、及び第２の物品情報を有する、前記第１の種別の物品とは異なる第２の種別の物品の少なくともいずれかから、前記ゲームのいずれかのゲーム要素に対応する物品情報を取得する取得手段と、
前記取得手段により取得された物品情報に基づき、前記第１の種別の物品を新たに生成する生成手段と、を備え、
前記第２の物品情報は、該第２の物品情報に対応するゲーム要素について、前記ゲームの進行及び前記第１の種別の物品の新たな生成の少なくともいずれかにおいて参照される属性を示す属性情報を含み、
前記生成手段は、
物品情報が前記第２の種別の物品から取得された場合に、取得された前記第２の物品情報に対応するゲーム要素を示す前記第１の物品情報を付した、前記第１の種別の物品を新たに生成し、
物品情報が前記第１の種別の物品及び前記第２の種別の物品から取得され、かつ、取得された前記第１の物品情報と前記第２の物品情報とが同一のゲーム要素に対応する場合に、該第２の物品情報に含まれる前記属性情報を含めた状態の、取得された前記第１の物品情報に基づき実行される前記ゲームのプレイ内容に応じたゲーム要素を示す前記第１の物品情報を付した、前記第１の種別の物品を新たに生成するゲーム装置。
【請求項２】
前記生成手段は、物品情報が前記第２の種別の物品から取得された場合に、前記ゲームのプレイを要件とせず前記第１の種別の物品を新たに生成する請求項１に記載のゲーム装置。
【請求項３】
前記ゲームは、種類の異なる第１のゲームと第２のゲームとを少なくとも含み、
前記ゲーム装置は、物品情報が前記第２の種別の物品から取得された場合、前記第１のゲームと前記第２のゲームの少なくともいずれかを、取得された前記第１の物品情報のみに基づき実行される場合よりも有利に進行させるよう制御する手段をさらに備える請求項１または２に記載のゲーム装置。
【請求項４】
前記生成手段は、前記属性情報を含む前記第１の物品情報が付されて新たに生成される前記第１の種別の物品を、該属性情報が付されていることが該物品の第１の部分において視認可能なように生成する請求項１乃至３のいずれか１項に記載のゲーム装置。
【請求項５】
前記生成手段は、取得された前記第２の物品情報に含まれる前記属性情報が所定の属性情報である場合、または取得された複数の前記第２の物品情報に含まれる前記属性情報の組み合わせが所定の組み合わせである場合に、取得された前記第１の物品情報に基づき実行される前記ゲームのプレイ内容に応じたゲーム要素と、取得された前記第２の物品情報に対応するゲーム要素とを示す前記第１の物品情報を付した、前記第１の種別の物品の新たな生成に代え、前記ゲームのプレイ内容に応じないゲーム要素を示す前記第１の物品情報を付した、前記第１の種別の物品を新たに生成する請求項１乃至４のいずれか１項に記載のゲーム装置。
【請求項６】
前記ゲームのプレイ内容に応じないゲーム要素は、実行された前記ゲームに登場していないゲーム要素である請求項５に記載のゲーム装置。
【請求項７】
前記ゲームのプレイ内容に応じないゲーム要素は、物品情報を前記第２の種別の物品から取得せずに実行される前記ゲームには登場しないゲーム要素である請求項５または６に記載のゲーム装置。
【請求項８】
前記ゲームのプレイ内容に応じないゲーム要素は、物品情報を前記第２の種別の物品から取得せずに実行される前記ゲームに係り新たに生成される前記第１の種別の物品に対応するゲーム要素よりも、実行される前記ゲームを有利に進行させるゲーム要素である請求項５乃至７のいずれか１項に記載のゲーム装置。
【請求項９】
前記第１の物品情報と前記第２の物品情報とは、各々異なる形式でコード化され、前記第１の種別の物品または前記第２の種別の物品に各々付される請求項１乃至８のいずれか１項に記載のゲーム装置。
【請求項１０】
前記取得手段は、前記第１の種別の物品からの前記第１の物品情報の取得と、前記第２の種別の物品からの前記第２の物品情報の取得とを、前記ゲーム装置の各々異なる部位において行う請求項１乃至９のいずれか１項に記載のゲーム装置。
【請求項１１】
コンピュータを、請求項１乃至１０のいずれか１項に記載のゲーム装置の各手段として機能させるためのプログラム。
【手続補正２】
【補正対象書類名】明細書
【補正対象項目名】０００８
【補正方法】変更
【補正の内容】
【０００８】
本発明のゲーム装置は、物品から取得した物品情報に基づくゲームを実行するゲーム装置であって、第１の物品情報を有する第１の種別の物品、及び第２の物品情報を有する、第１の種別の物品とは異なる第２の種別の物品の少なくともいずれかから、ゲームのいずれかのゲーム要素に対応する物品情報を取得する取得手段と、取得手段により取得された物品情報に基づき、第１の種別の物品を新たに生成する生成手段と、を備え、第２の物品情報は、該第２の物品情報に対応するゲーム要素について、ゲームの進行及び第１の種別の物品の新たな生成の少なくともいずれかにおいて参照される属性を示す属性情報を含み、生成手段は、物品情報が第２の種別の物品から取得された場合に、少なくとも取得された第２の物品情報に対応するゲーム要素を示す第１の物品情報を付した、第１の種別の物品を新たに生成し、物品情報が第１の種別の物品及び第２の種別の物品から取得され、かつ、取得された第１の物品情報と第２の物品情報とが同一のゲーム要素に対応する場合に、該第２の物品情報に含まれる属性情報を含めた状態の、取得された第１の物品情報に基づき実行されるゲームのプレイ内容に応じたゲーム要素を示す前記第１の物品情報を付した、第１の種別の物品を新たに生成する。
【手続補正書】
【提出日】平成31年1月23日(2019.1.23)
【手続補正１】
【補正対象書類名】明細書
【補正対象項目名】００３２
【補正方法】変更
【補正の内容】
【００３２】
図３（ｂ）に示すように、電流源を再構成することで、ｚ座標を固定値とした場合のｘｙ平面の各位置における電流値を３次元で可視化することができる。本実施形態では、電流値が算出されたｘｙ平面の各位置ｒ（図３（ｂ）の各メッシュの位置に対応する）を下式（２）により表す。なお、本実施形態では各位置ｒの数をｍ×ｎ個とし、磁気センサの数（Ｍ）よりも多くなるように設定するものとする。また、本実施形態において下式（２）のｚには、固定値が設定されるものとする。
【手続補正２】
【補正対象書類名】明細書
【補正対象項目名】０１３１
【補正方法】変更
【補正の内容】
【０１３１】
【特許文献１】特許第３５９９３９６号公報
【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
動作を行う可動役物と、
前記可動役物の演出動作に対応して、予め定められた演出条件が達成されたことを報知する報知手段と、を備え、
前記可動役物は複数のタイミングにおいて前記演出動作を実行可能であり、
前記可動役物が前記演出動作とは異なる動作をした場合に、前記報知を制限する制限手段をさらに備える、遊技機。
【手続補正２】
【補正対象書類名】明細書
【補正対象項目名】０００５
【補正方法】変更
【補正の内容】
【０００５】
（１）本発明に係る遊技機は、上述した課題を解決するためになされたものであり、遊技を行うことが可能な遊技機（例えば、図１に示す遊技機１等）であって、動作を行う可動役物（例えば、図９に示す演出制御パターンに基づき、図２に示す演出制御用ＣＰＵ１２０によって制御される、図１又は図２に示す可動役物１７３等）と、前記可動役物の演出動作（例えば、図３６又は図３９に示す、可動役物１７３の下降動作等の演出動作等）に対応して、予め定められた演出条件（例えば、図３１に示す、ミッションリストに定められた、可動役物１７３の動作に係る演出条件等）が達成されたことを報知する報知手段（例えば、図２７に示すステップＳ１５１の可動役物検出処理においてミッションが達成されたことを判断して、図３６又は図３９に示す画像表示装置５にミッション達成の表示をすることによりミッション達成を報知する演出制御用ＣＰＵ１２０等）と、を備え、前記可動役物は複数のタイミングにおいて前記演出動作を実行可能であり、前記可動役物が前記演出動作とは異なる動作（例えば、図３７に示す予め定められた演出条件ではない可動役物１７３の動作、又は図３８に示す演出条件に基かない可動役物１７３の動作等）をした場合に、前記報知を制限する制限手段（例えば、図２７に示すステップＳ１５１の可動役物検出処理において、ミッションの達成を判断して、ミッションが達成されないときにはステップＳ１５１４の処理におけるミッション報知の設定をしない演出制御用ＣＰＵ１２０等）をさらに備える。
【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
遊技機裏面側の上部に備えられており、島設備から供給される遊技球を貯留可能な貯留部と、
前記貯留部に貯留されている遊技球を該貯留部よりも後方側に送り出し、下流側に遊技球を供給しうるように球誘導可能なタンクレール部と、
前記貯留部から溢れた遊技球を前記貯留部に戻す第１の傾斜部と、
前記貯留部から溢れた遊技球を前記タンクレール部に戻す第２の傾斜部とを備えた
ことを特徴とする遊技機。
【手続補正２】
【補正対象書類名】明細書
【補正対象項目名】０００７
【補正方法】変更
【補正の内容】
【０００７】
本発明は、
遊技機裏面側の上部に備えられており、島設備から供給される遊技球を貯留可能な貯留部（球タンク５５２）と、
前記貯留部に貯留されている遊技球を該貯留部よりも後方側に送り出し、下流側に遊技球を供給しうるように球誘導可能なタンクレール部（タンクレール５５３）と、
前記貯留部から溢れた遊技球を前記貯留部に戻す第１の傾斜部（越流面部５０１ｍ、案内面部５５２ｊ）と、
前記貯留部から溢れた遊技球を前記タンクレール部に戻す第２の傾斜部（通路面５５２ｈ）とを備えた
ことを特徴とする（段落０６５２〜０６８８等、図１０３〜図１０６等参照）。
また、本発明とは別の発明と指定化の手段を参考的に開示する。
手段１：遊技機において、
「島設備に取付けられる枠状の外枠と、
該外枠にヒンジ回転可能に取付けられており、遊技媒体が打込まれることで遊技が行われる遊技領域を有する遊技盤が取付けられる本体枠と、
該本体枠の上部に備えられており、上側が開放されている容器状で、島設備から供給される遊技媒体を貯留可能な球タンクと、
該球タンクから遠ざかるように下流側が左右方向の一方側へ延びており、該球タンクに貯留されている遊技媒体を整列させて下流側へ流通させると共に、遊技媒体の流通方向の途中から下流端までの上側が閉鎖されており、前記本体枠に備えられているタンクレールと、
該タンクレールよりも下方の位置で前記本体枠に備えられており、前記タンクレールにより誘導された遊技媒体を払出すための払出装置と、
前記本体枠における前記球タンクの前側に備えられ、前後方向へ延びていると共に左右方向の一方側が該球タンクよりも外方へ延びており、該球タンクから前方へ溢れた遊技媒体を該球タンクへ戻すために前端側が高くなるように傾斜している越流面部と、
該越流面部の後端における前記球タンクの左右方向の一方の外側の部位から前記タンクレールにおける上側が開放されている部位まで後方へ延び、後端側が低くなるように傾斜していると共に、左右方向において前記球タンクから遠ざかっている側が低くなるように傾斜しており、前記球タンクから前記越流面部に溢れた遊技媒体を誘導可能な迂回通路とを具備している」ものであることを特徴とする。
【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
光源より射出された光から分離された測定光を被検査物に照射して得た戻り光と、前記光から分離された参照光とを合波して得た干渉光に基づいて、前記被検査物の画像を取得する撮像装置であって、
前記光源を内蔵し、気体の流入口及び流出口を有する第一の筐体と、
前記参照光の光学系の少なくとも一部を内蔵する第二の筐体と、
前記第一の筐体及び前記第二の筐体を内蔵し、気体が流入する通気口と気体が流出する排気開口とを有する第三の筐体と、
前記流出口と前記排気開口とを連通させるダクトと、
気体が、前記通気口から前記第三の筐体の内部に流入し、前記第二の筐体の周囲を経て前記流入口から前記第一の筐体の内部に流入し、前記第一の筐体の内部から前記流出口及び前記ダクトを経て前記排気開口から排出されるように、気体の流れを形成するためのファンと、を備えることを特徴とする撮像装置。
【請求項２】
前記通気口は、前記第三の筐体の下面の全周において環状に配置されることを特徴とする請求項１に記載の撮像装置。
【請求項３】
前記第一の筐体は前記第三の筐体内の上方に配置されることを特徴とする請求項１又は２に記載の撮像装置。
【請求項４】
前記第二の筐体は、前記第三の筐体内の下方であって前記通気口の上方に配置されることを特徴とする請求項１乃至３の何れか一項に記載の撮像装置。
【請求項５】
前記排気開口は、前記第二の筐体の上方に配置されることを特徴とする請求項１乃至４の何れか一項に記載の撮像装置。
【請求項６】
前記第三の筐体は前記通気口を下方に有し、
前記第一の筐体は前記第三の筐体内の上方に配置され、
前記第二の筐体は前記第三の筐体内の下方且つ前記通気口の上方に配置され、
前記排気開口は前記第三の筐体の壁において前記第二の筐体よりも上方に設けられることを特徴とする請求項１乃至５の何れか一項に記載の撮像装置。
【請求項７】
前記第三の筐体は、前記被検査物に対して三軸方向に移動可能であることを特徴とする請求項１乃至６の何れか一項に記載の撮像装置。
【請求項８】
前記第三の筐体が前記三軸方向に移動可能となるように、架台に支持された移動台を更に備え、
前記通気口は、前記移動台と前記第三の筐体との間の隙間を含むことを特徴とする請求項７に記載の撮像装置。
【請求項９】
測定光の光学系を内蔵する第四の筐体を更に有し、前記第四の筐体は前記第二の筐体より前記第一の筐体に近づいて配置され、前記通気口から前記第三の筐体の内部に流入した気体が前記第四の筐体の周囲を経て前記流入口から前記第一の筐体の内部に流入するように、前記ファンが前記気体の流れを形成することを特徴とする請求項１乃至８の何れか一項に記載の撮像装置。
【請求項１０】
前記第四の筐体は、前記第二の筐体に内蔵されない光学部材を内蔵することを特徴とする請求項９に記載の撮像装置。
【請求項１１】
前記第二の筐体及び前記第四の筐体の両側面は前記第三の筐体の側壁の内面に対し等しい距離に位置することを特徴とする請求項９又は１０に記載の撮像装置。
【請求項１２】
前記第三の筐体は、側壁又は前後壁に設けられて前記気体が流入可能な第二の通気口を有することを特徴とする請求項１乃至１１の何れか一項に記載の撮像装置。
【請求項１３】
光源より射出された光から分離された測定光を被検査物に照射して得た戻り光と、前記光から分離された参照光とを合波して得た干渉光に基づいて、前記被検査物の画像を取得する撮像装置であって、
前記光源が設けられた光源ユニットと、
前記参照光の光学系の少なくとも一部が設けられた参照光学ユニットと、
気体が流出する排気開口を有する外装カバー内に設けられた前記光源ユニット及び前記参照光学ユニットが移動可能となるように、架台に支持された移動台と、
前記光源ユニットの内部と前記排気開口とを連通させるダクトと、
前記外装カバーと前記移動台との間の隙間から前記外装カバーの内部に流入した気体が、前記参照光学ユニットの周囲を経て前記光源ユニットの内部に流入し、前記流入した気体が前記ダクトを経て前記排気開口から排出されるように、気体の流れを形成するためのファンと、を備えることを特徴とする撮像装置。
【請求項１４】
前記参照光の光学系の少なくとも一部は、前記参照光の光路長を調整する光学部材を含むことを特徴とする請求項１乃至１３の何れか一項に記載の撮像装置。
【請求項１５】
前記参照光の光学系の少なくとも一部は、前記参照光の光学系を経た前記参照光を集光する光学部材を含むことを特徴とする請求項１乃至１４の何れか一項に記載の撮像装置。
【請求項１６】
前記参照光の光学系の少なくとも一部は、前記光源より射出された光から分離された参照光と前記測定光とを合波する合波手段に前記参照光を導く光ファイバを含むことを特徴とする請求項１乃至１５の何れか一項に記載の撮像装置。
【請求項１７】
前記被検査物は被検眼であることを特徴とする請求項１乃至１６の何れか一項に記載の撮像装置。
【手続補正２】
【補正対象書類名】明細書
【補正対象項目名】０００８
【補正方法】変更
【補正の内容】
【０００８】
上記目的を達成するため、本発明の一実施態様に係る撮像装置は、
光源より射出された光から分離された測定光を被検査物に照射して得た戻り光と、前記光から分離された参照光とを合波して得た干渉光に基づいて、前記被検査物の画像を取得する撮像装置であって、
前記光源を内蔵し、気体の流入口及び流出口を有する第一の筐体と、
前記参照光の光学系の少なくとも一部を内蔵する第二の筐体と、
前記第一の筐体及び前記第二の筐体を内蔵し、気体が流入する通気口と気体が流出する排気開口とを有する第三の筐体と、
前記流出口と前記排気開口とを連通させるダクトと、
気体が、前記通気口から前記第三の筐体の内部に流入し、前記第二の筐体の周囲を経て前記流入口から前記第一の筐体の内部に流入し、前記第一の筐体の内部から前記流出口及び前記ダクトを経て前記排気開口から排出されるように、前記気体の流れを形成するためのファンと、を備えることを特徴とする。
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
第１及び第２の原料溶液をそれぞれ霧化し、得られた第１及び第２のミストをそれぞれ第１及び第２のキャリアガスをそれぞれ用いて基体近傍まで搬送し、ついで前記基体近傍で第１及び第２のミストをそれぞれ熱反応させることにより、前記基体上に直接又は他の層を介して第１及び第２の膜をそれぞれ形成する積層構造体の製造方法であって、第１及び第２のキャリアガスはそれぞれ互いに同一又は異なるガスであり、第１及び第２の原料溶液のうちいずれか一方はモノマーを含み、他方は金属を含むことを特徴とする積層構造体の製造方法。
【請求項２】
第１及び第２のミストの熱反応を、いずれも非酸素雰囲気下で行う請求項１記載の製造方法。
【請求項３】
第１及び第２のミストのいずれかの熱反応後、得られた膜を酸化処理に付す請求項１又は２に記載の製造方法。
【請求項４】
第１及び第２の原料溶液のうちいずれかの原料溶液が有機錯体を含む請求項１〜３のいずれかに記載の製造方法。
【請求項５】
第１及び第２の原料溶液のうちいずれかの原料溶液が水を含む請求項１〜４のいずれかに記載の製造方法。
【請求項６】
第１、第２及び第３の原料溶液をそれぞれ霧化し、得られた第１、第２及び第３のミストをそれぞれ第１、第２及び第３のキャリアガスをそれぞれ用いて基体近傍まで搬送し、ついで前記基体近傍で第１、第２及び第３のミストをそれぞれ熱反応させることにより、前記基体上に直接又は他の層を介して第１、第２及び第３の膜をそれぞれ形成する積層構造体の製造方法であって、第１、第２及び第３のキャリアガスはそれぞれ互いに同一又は異なるガスであり、第１、第２及び第３の原料溶液のうちいずれかはモノマーを含み、他の原料溶液はそれぞれ互いに同一又は異なる金属を含むことを特徴とする積層構造体の製造方法。
【請求項７】
第３の原料溶液が金属を含み、第３のミストの熱反応を酸素雰囲気下で行う請求項６記載の製造方法。
【請求項８】
第１の原料溶液がモノマーを含み、第１のミストの熱反応を３５０℃以下の温度で行う請求項１〜７のいずれかに記載の製造方法。
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
排水中の沈殿性有機物を固液分離し、分離汚泥と分離液とを得る固液分離槽と、
前記分離液に殺菌剤を供給する殺菌剤供給装置と、
半透膜を備え、前記半透膜を介して前記殺菌剤が供給された分離液を該分離液よりも高浸透圧の駆動液と接触させることにより濃縮水と処理水とを得る正浸透膜装置と、
前記濃縮水を貯蔵する濃縮水貯蔵槽と、
前記濃縮水と前記分離汚泥とを分解してメタンガスに変換する嫌気性処理槽と
を備えることを特徴とする排水処理装置。
【請求項２】
前記濃縮水貯蔵槽に前記排水又は前記分離汚泥に含まれる有機物を供給可能な有機物供給ラインを更に備える請求項１に記載の排水処理装置。
【請求項３】
排水中の沈殿性有機物を固液分離し、分離汚泥と第１分離液とを得る第１の固液分離装置と、
前記第１分離液に凝集剤を加えて固液分離し、凝集汚泥と第２分離液を得る第２の固液分離装置と、
半透膜を備え、前記半透膜を介して前記第２分離液を該第２分離液よりも高浸透圧の駆動液と接触させることにより濃縮水と処理水とを得る正浸透膜装置と、
前記濃縮水と前記分離汚泥とを分解してメタンガスに変換する嫌気性処理槽と
を備えることを特徴とする排水処理装置。
【請求項４】
前記第２の固液分離装置からの前記第２分離液に殺菌剤を供給する殺菌剤供給装置を備え、
前記嫌気性処理槽に、前記分離汚泥と、前記濃縮水とともに、前記第２の固液分離装置からの凝集汚泥を供給することを特徴とする請求項３に記載の排水処理装置。
【請求項５】
前記嫌気性処理槽が、
前記分離汚泥をメタン発酵する嫌気性消化槽と、
前記濃縮水をメタン発酵する嫌気性排水処理槽と
を備える請求項１〜４のいずれか１項に記載の排水処理装置。
【請求項６】
排水中の沈殿性有機物を固液分離し、分離汚泥と分離液とを得ることと、
半透膜を備える正浸透膜装置に前記分離液を供給し、前記半透膜を介して前記分離液を前記分離液よりも高浸透圧の駆動液と接触させることにより、濃縮水と処理水とを得ることと、
前記正浸透膜装置へ流入する前の前記分離液に殺菌剤を供給することと、
前記濃縮水を貯蔵することと、
前記濃縮水と前記分離汚泥とを分解してメタンガスに変換すること
を含むことを特徴とする排水処理方法。
【請求項７】
排水中の沈殿性有機物を固液分離し、分離汚泥と分離液とを得ることと、
半透膜を備える正浸透膜装置に前記分離液を供給し、前記半透膜を介して前記分離液を前記分離液よりも高浸透圧の駆動液と接触させることにより濃縮水と処理水とを得ることと、
前記正浸透膜装置へ流入する前の前記分離液に凝集剤を加えて固液分離することと、
前記濃縮水と前記分離汚泥とを分解してメタンガスに変換すること
を含むことを特徴とする排水処理方法。
【請求項８】
前記駆動液が、鉄、コバルト、ニッケル、亜鉛、タングステン、マンガン、モリブデン、セレン、ホウ素のいずれかを含む海水、海水淡水化処理施設の濃縮水、又は浸出水処理施設から排出される高塩濃度排水を含む請求項６又は７に記載の排水処理方法。
【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
始動口への遊技球の入球に基づいて識別情報を変動表示する識別情報表示手段と、
遊技球が入球可能な入球可能状態と、遊技球が入球不能な入球不能状態とに変化可能な可変入球口と、
前記識別情報が特定態様で停止表示したことに基づいて、前記可変入球口を入球可能状態とする特別遊技を実行する特別遊技実行手段と、
前記可変入球口への入球を検知する入球検知手段と、
前記入球検知手段で検知された遊技球の排出を検知する排出検知手段と、を備えた遊技機であって、
前記特別遊技は複数のラウンド遊技で構成されると共に、前記特別遊技として、前記複数のラウンド遊技における特定のラウンド遊技で、前記可変入球口を入球可能状態とする特別遊技を、少なくとも有しており、
前記特定のラウンド遊技における入球可能状態を終了した後に、前記可変入球口を入球不能状態として、前記特定のラウンド遊技に係る所定の確認処理を実行するものであり、
前記確認処理として、少なくとも、前記特定のラウンド遊技における前記可変入球口への入球数と排出数とが一致するかどうかを、前記入球検知手段及び前記排出検知手段の検知結果に基づいて判定する一致判定処理を有し、
前記可変入球口への入球数と排出数とが一致しない場合に、前記確認処理を実行可能な期間である実行期間の範囲内において、前記一致判定処理を複数回実行可能である
ことを特徴とする遊技機。
【請求項２】
前記特定のラウンド遊技は、前記複数のラウンド遊技における最後のラウンド遊技であり、
前記最後のラウンド遊技における入球可能状態を終了した後に、前記可変入球口を入球不能状態として、所定期間の終了期間を設定し、前記終了期間が経過した後に、前記識別情報の変動表示を実行可能とするものであって、
前記確認処理の少なくとも一部を前記終了期間中に実行可能とすることを特徴とする請求項１に記載の遊技機。
【請求項３】
前記終了期間が経過の際に、前記可変入球口への入球数と排出数とが一致しない場合には前記実行期間が終了すると共に前記確認処理が終了し、前記識別情報の変動表示を実行可能とすることを特徴とする請求項２に記載の遊技機。
【手続補正２】
【補正対象書類名】明細書
【補正対象項目名】０００７
【補正方法】変更
【補正の内容】
【０００７】
上述の課題を解決するための第１発明の遊技機は、
始動口への遊技球の入球に基づいて識別情報を変動表示する識別情報表示手段と、
遊技球が入球可能な入球可能状態と、遊技球が入球不能な入球不能状態とに変化可能な可変入球口と、
前記識別情報が特定態様で停止表示したことに基づいて、前記可変入球口を入球可能状態とする特別遊技を実行する特別遊技実行手段と、
前記可変入球口への入球を検知する入球検知手段と、
前記入球検知手段で検知された遊技球の排出を検知する排出検知手段と、を備えた遊技機であって、
前記特別遊技は複数のラウンド遊技で構成されると共に、前記特別遊技として、前記複数のラウンド遊技における特定のラウンド遊技で、前記可変入球口を入球可能状態とする特別遊技を有しており、
前記特定のラウンド遊技における入球可能状態を終了した後に、前記可変入球口を入球不能状態として、前記特定のラウンド遊技に係る所定の確認処理を実行するものであり、
前記確認処理として、少なくとも、前記ラウンド遊技における前記可変入球口への入球数と排出数とが一致するかどうかを、前記入球検知手段及び前記排出検知手段の検知結果に基づいて判定する一致判定処理を有し、
前記可変入球口への入球数と排出数とが一致しない場合に、前記確認処理を実行可能な期間である実行期間の範囲内において、前記一致判定処理を複数回実行可能である
ことを特徴とするものである。

【手続補正３】
【補正対象書類名】明細書
【補正対象項目名】０００８
【補正方法】変更
【補正の内容】
【０００８】
また、第２発明の遊技機は、第１発明の遊技機において、
前記特定のラウンド遊技は、前記複数のラウンド遊技における最後のラウンド遊技であり、
前記最後のラウンド遊技における入球可能状態を終了した後に、前記可変入球口を入球不能状態として、所定期間の終了期間を設定し、前記終了期間が経過した後に、前記識別情報の変動表示を実行可能とするものであって、
前記確認処理の少なくとも一部を前記終了期間中に実行可能とすることを特徴とするものである。

【手続補正４】
【補正対象書類名】明細書
【補正対象項目名】０００９
【補正方法】変更
【補正の内容】
【０００９】
また、第３発明の遊技機は、第２発明の遊技機において、
前記終了期間が経過の際に、前記可変入球口への入球数と排出数とが一致しない場合には前記実行期間が終了すると共に前記確認処理が終了し、前記識別情報の変動表示を実行可能とすることを特徴とするものである。

【手続補正５】
【補正対象書類名】明細書
【補正対象項目名】００１０
【補正方法】削除
【補正の内容】
【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
当選番号を決定可能な当選番号決定手段と、
小役又はリプレイの当選情報を記憶可能な第１記憶手段と、
特別役の当選情報を記憶可能な第２記憶手段と
を備え、
遊技区間として、通常区間と有利区間とを有し、
通常区間では、前記当選番号決定手段により所定の当選番号が決定した遊技において、遊技者に有利なストップスイッチの操作態様を報知する場合を有しないように構成され、
有利区間では、前記当選番号決定手段により前記所定の当選番号が決定した遊技において、遊技者に有利なストップスイッチの操作態様を報知する場合を有するように構成され、
前記当選番号決定手段によりＮ未満（Ｎは２以上の値）である前記所定の当選番号を決定した遊技では、決定した前記所定の当選番号を第１記憶手段に記憶可能とし、
当選番号として、Ｎ未満である当選番号を前記当選番号決定手段により決定した遊技では、特別役の当選情報を第２記憶手段に記憶しない
ことを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本発明は、小役、リプレイ、特別役の当選情報を記憶可能な遊技機に関するものである。
【手続補正４】
【補正対象書類名】明細書
【補正対象項目名】０００２
【補正方法】変更
【補正の内容】
【０００２】
従来の遊技機において、小役、リプレイ、特別役の抽選を行う遊技機が知られている（たとえば、特許文献１参照）。
【手続補正５】
【補正対象書類名】明細書
【補正対象項目名】０００４
【補正方法】変更
【補正の内容】
【０００４】
本発明が解決しようとする課題は、小役、リプレイ、特別役の当選情報を記憶可能な遊技機において、ＲＯＭ等の記憶手段の使用量を削減することである。
【手続補正６】
【補正対象書類名】明細書
【補正対象項目名】０００５
【補正方法】変更
【補正の内容】
【０００５】
本発明は、以下の解決手段によって上述の課題を解決する。なお、かっこ書きで、対応する実施形態の構成を示す。
本発明（第１６実施形態）は、
当選番号を決定可能な当選番号決定手段（図８７の内部抽選１及び図８８の抽選判定の処理）と、
小役又はリプレイの当選情報を記憶可能な第１記憶手段（ＲＷＭ５３上の入賞及びリプレイ条件装置番号の記憶領域「＿ＮＢ＿ＣＮＤ＿ＮＯＲ」）と、
特別役の当選情報を記憶可能な第２記憶手段（ＲＷＭ５３上の役物条件装置番号の記憶領域「＿ＮＢ＿ＣＮＤ＿ＢＮＳ」）と
を備え、
遊技区間として、通常区間と有利区間とを有し、
通常区間では、前記当選番号決定手段により所定の当選番号（当選番号「１１」〜「２５」）が決定した遊技において、遊技者に有利なストップスイッチの操作態様を報知する場合を有しないように構成され、
有利区間では、前記当選番号決定手段により前記所定の当選番号が決定した遊技において、遊技者に有利なストップスイッチの操作態様を報知する場合を有するように構成され、
前記当選番号決定手段によりＮ未満（Ｎは２以上の値）（Ｎ＝「３１」）である前記所定の当選番号を決定した遊技では、決定した前記所定の当選番号を第１記憶手段に記憶可能とし、
当選番号として、Ｎ未満である当選番号を前記当選番号決定手段により決定した遊技では、特別役の当選情報を第２記憶手段に記憶しない
ことを特徴とする。
【手続補正７】
【補正対象書類名】明細書
【補正対象項目名】０００６
【補正方法】変更
【補正の内容】
【０００６】
本発明によれば、当選番号決定手段によりＮ未満である所定の当選番号を決定した遊技では、決定した所定の当選番号を小役又はリプレイの当選情報として第１記憶手段に記憶可能とする。
このため、Ｎ未満である所定の当選番号と小役又はリプレイの当選情報との対応関係を定めたデータテーブルを持たずに済み、また、Ｎ未満である所定の当選番号を小役又はリプレイの当選情報に変換する処理を行う必要もないので、処理を簡素化することができ、プログラムやデータテーブルによるＲＯＭ等の記憶手段の使用量を削減することができる。
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
所定の制御条件の成立に基づいて遊技者に有利な特典を付与可能な遊技機において、
所定の態様で駆動される第１電気部品、及び、第２電気部品と、
前記第１電気部品、及び、前記第２電気部品を制御する第１の制御手段と、
前記第１の制御手段を介して、前記第１電気部品、及び、前記第２電気部品を制御する第２の制御手段と、を備え、
前記第１の制御手段は、
前記第２の制御手段から前記第１電気部品、又は、前記第２電気部品のいずれか一方を駆動させる指示が入力された場合には、前記第１電気部品、又は、前記第２電気部品のうち指定された方の電気部品を駆動させる通常制御を行うものである一方で、
前記第１電気部品、及び、前記第２電気部品の双方を同時に駆動させる指示が入力された場合には、前記第１電気部品、及び、前記第２電気部品の双方を駆動させない異常制御を行うものであることを特徴とする遊技機。
【手続補正２】
【補正対象書類名】明細書
【補正対象項目名】０００４
【補正方法】変更
【補正の内容】
【０００４】
ところで上記文献に記載の遊技機では、多数の電気部品が搭載されているため、ノイズ等の要因によりこれらの電気部品が一斉に動作すると遊技機の故障の原因となるため、このような設計者の意図しない電気部品の一斉の動作を防止することが望ましい。
【手続補正３】
【補正対象書類名】明細書
【補正対象項目名】０００５
【補正方法】変更
【補正の内容】
【０００５】
本発明は上記事情に鑑みてなされたものである。すなわちその課題とするところは、ノイズ等の要因により発生する電気部品の一斉の動作を防止する技術を提供することである。
【手続補正４】
【補正対象書類名】明細書
【補正対象項目名】０００６
【補正方法】変更
【補正の内容】
【０００６】
本発明の遊技機は、
所定の制御条件の成立に基づいて遊技者に有利な特典を付与可能な遊技機において、
所定の態様で駆動される第１電気部品、及び、第２電気部品と、
前記第１電気部品、及び、前記第２電気部品を制御する第１の制御手段と、
前記第１の制御手段を介して、前記第１電気部品、及び、前記第２電気部品を制御する第２の制御手段と、を備え、
前記第１の制御手段は、
前記第２の制御手段から前記第１電気部品、又は、前記第２電気部品のいずれか一方を駆動させる指示が入力された場合には、前記第１電気部品、又は、前記第２電気部品のうち指定された方の電気部品を駆動させる通常制御を行うものである一方で、
前記第１電気部品、及び、前記第２電気部品の双方を同時に駆動させる指示が入力された場合には、前記第１電気部品、及び、前記第２電気部品の双方を駆動させない異常制御を行うものであることを特徴とする遊技機である。
【手続補正５】
【補正対象書類名】明細書
【補正対象項目名】０００７
【補正方法】変更
【補正の内容】
【０００７】
本発明によれば、ノイズ等の要因により発生する電気部品の一斉の動作を防止することが可能である。
【手続補正書】
【提出日】令和1年5月29日(2019.5.29)
【手続補正１】
【補正対象書類名】明細書
【補正対象項目名】０００９
【補正方法】変更
【補正の内容】
【０００９】
本発明は、このような点を鑑みてなされたものであり、その目的とするところは、産業用ロボットの動作時に、配設された配線または配管に、捩じれによる過大な負荷が作用することを回避することができる産業用ロボットを提供することにある。
【手続補正２】
【補正対象書類名】明細書
【補正対象項目名】００１３
【補正方法】変更
【補正の内容】
【００１３】
さらに、第１アームの一方側に第３アームを連接し、第１アームの他方側に第４アームを連接することにより、第１アームを挟んで、第３アームと第４アームとが配置された状態となる。この配置状態と、上述した配線または配管の配設状態により、産業用ロボットの動作時に、第１アームに対して枢動する第３アームと第４アームとで、配線または配管が挟み込まれることを回避することができる。
【手続補正３】
【補正対象書類名】明細書
【補正対象項目名】００２３
【補正方法】変更
【補正の内容】
【００２３】
本発明によれば、産業用ロボットの動作時に、配設された配線または配管に、捩じれによる過大な負荷が作用することを回避することができる。
【手続補正４】
【補正対象書類名】図面
【補正対象項目名】図６
【補正方法】変更
【補正の内容】
【図６】
2018015872.tif 000001